(57)【要約】【課題】穀物や乾物の害虫に対して優れた防虫効果を有するとともに、人体に対しても安全性が高く、一般家庭においても手軽に使用することができる穀物・乾物用防虫剤及び当該防虫剤を用いた穀物・乾物害虫の防虫方法を提供すること。【解決手段】セージ、ローズマリー、バジル、キャラウェー、ユーカリ、シトロネラ、アニス、オレンジまたはラベンダーから得られる精油の一種又は二種以上を有効成分として含有する穀物・乾物用防虫剤及び当該防虫剤を用いた穀物・乾物害虫の防虫方法。【選択図】  なし【特許請求の範囲】
【請求項１】
セージ、ローズマリー、バジル、キャラウェー、ユーカリ、シトロネラ、アニス、オレンジまたはラベンダーから得られる精油の一種又は二種以上を有効成分として含有する穀物・乾物用防虫剤。
【請求項２】
更にトウガラシ、ワサビ、シソ、アリシン、カプサイシン、ペリラアルデヒド、カルダモン、ナツメグ、クローブまたはコリアンダーから得られる抽出物または精油の一種又は二種以上を含有する請求項第１項記載の穀物・乾物用防虫剤。
【請求項３】
剤型がゲル状である請求項第１項または第２項記載の穀物・乾物用防虫剤。
【請求項４】
ゲル化剤としてヒドロキシプロピル化グアーガムを用いるものである請求項第３項記載の穀物・乾物用防虫剤。
【請求項５】
請求項第１項ないし第４項の何れかの項に記載の穀物・乾物用防虫剤を、穀物や乾物の保存ないし保管場所に適用することを特徴とする穀物・乾物害虫の防虫方法。
【発明の詳細な説明】
【０００１】
【発明の属する技術分野】
本発明は、穀物・乾物用防虫剤及び当該防虫剤を用いた穀物・乾物害虫の防虫方法に関する。更に詳しくは、穀物や乾物の害虫に対して優れた防虫効果を有するとともに、人体に対しても安全性が高く、一般家庭においても手軽に使用することができる穀物・乾物用防虫剤及び当該防虫剤を用いた穀物・乾物害虫の防虫方法に関する。
【０００２】
【従来の技術】
従来より、米、小麦（小麦粉含む）、大麦、豆類等の穀物や、パスタ、煮干し、鰹節、麩（ふ）、かんぴょう等の乾物（以下、「穀物等」とする）が倉庫や一般家庭で保存ないし保管されている場合においては、コクゾウムシ、ココクゾウムシ、コナマダラメイガ等の害虫が繁殖してしまい、穀物等に被害を与えるという問題が発生していた。かかる害虫による被害を防止するために、穀物倉庫では、倉庫内を臭化メチル、ホスフィンなどの燻蒸剤により薫蒸し、低温で貯蔵する防除手段がとられていた。また、これら保管倉庫内に農薬成分やピレスロイド系化合物を散布する等の手段もとられていた。
【０００３】
一方、穀物等の流通段階や一般家庭における貯蔵においては、上記のような穀物倉庫でとられているような手段はコスト、設備及び安全性等の点で実施が困難であり、特に、対象となる穀物等は食品である関係から、使用する薬剤の安全性に関しては十分な配慮が必要とされていた。
【０００４】
そこで、近年では、一般家庭でも手軽かつ安全に使用できる防虫剤が種々提案されていた。例えば、わさび、カラシ、ショウガ、トウガラシ、ニンニクなどを有効成分として使用した米用の防虫剤が提案されていた。また、アリシン成分及びカプサイシン成分を含む香辛料成分を通気性容器に収容して、この容器を米と一緒に米びつや米包装袋などの米容器内に収容することを特徴とする米の品質保存剤や（例えば、特許文献１参照）、有効成分として天然物由来のティートリーオイル及び／又はパインオイルを含有してなるコクゾウムシ忌避剤（例えば、特許文献２）等の種々の防虫剤も提案されていた。
【０００５】
これらの従来の穀物等用の防虫剤は、天然物もしくは食品に用いられている薬剤を使用しているため、安全性については問題ないが、穀物等の害虫に対しての効果が非常に弱く、十分な防虫効力が得られないという問題を有していた。
【０００６】
【特許文献１】
特開平６−３８６７８号公報（第１−６頁）
【特許文献２】
特開平１１−２２２４０９号公報（第１−７頁）
【０００７】
【発明の解決しようとする課題】
従って、穀物や乾物の害虫に対して十分な防虫効力を有するとともに、人体に対しても安全性が高く、一般家庭でも手軽に使用できる穀物・乾物用防虫剤の開発が望まれていた。
【０００８】
【課題を解決するための手段】
本発明者は、上記問題点を解決するために、穀物や乾物の害虫に対して防虫効果の高い成分について鋭意研究を行ったところ、特定の植物から得られる精油が優れた防虫効力を有し、また、これらの精油は人体に対しても安全性が高いことから、上記の課題を解決できることを見出し、本発明を完成した。
【０００９】
すなわち、本発明は、セージ、ローズマリー、バジル、キャラウェー、ユーカリ、シトロネラ、アニス、オレンジまたはラベンダーから得られる精油よりなる群から選ばれる一種又は二種以上を有効成分として含有する穀物・乾物用防虫剤を提供するものである。
【００１０】
また本発明は、上記の穀物・乾物用防虫剤を、穀物や乾物の保存ないし保管場所に適用することを特徴とする穀物・乾物害虫の防虫方法を提供するものである。
【００１１】
【発明の実施の形態】
本明細書中において「防虫」とは、穀物害虫を殺虫する作用及び害虫を忌避する作用を含む概念であり、また、「穀物」とは、玄米、精米、餅米等の米、小麦（小麦粉含む）、大麦、粟、稗、豆類、トウモロコシ、コーンスターチ、片栗粉、そば粉等のその種子若しくは粉末を食用とする作物を指し、「乾物」とは、パスタ、マカロニ、煮干し、鰹節、麩（ふ）、かんぴょう、寒天、そうめん、冷や麦、めざし、昆布、干し椎茸、高野豆腐、ひもの等の乾燥した食物を指称する。
【００１２】
本発明の穀物・乾物用防虫剤は、その有効成分として特定の植物、すなわち、セージ、ローズマリー、バジル、キャラウェー、ユーカリ、シトロネラ、アニス、オレンジ、ラベンダーから選ばれる植物より得られる精油を含有することを特徴とする。
【００１３】
これらの植物のうちセージは、セージ・ダルマチアン、セージ・スパニッシュ、セージ・グリーク等のシソ科の植物の総称で、その精油はローズ様の香気を持つものである。また、α，β―ピネン、カンフェン、β−テルピネオール、ボルネオール、カンファー、１，８−シネオール、リナロール、リナリルアセテート、リナリルイソバレレート、シネオール等の成分を含有する。
【００１４】
ローズマリーはセリ科の植物で、その精油は、石鹸等の香料としても用いられている。また、１，８−シネオール、α，β−ピネン、酢酸ボルニル、カンファー等の成分を含有する。
【００１５】
バジルは、スィートバジル、ブッシュバジル等のシソ科の植物の総称で、その精油は、ハーブ様のスパイシーな香気を持つものである。また、α，β−ピネン、カンフェン、ミルセン、リモネン、シス−オシメン、サビネン、γ−テルピネン、テルピノレン、ｐ−サイメン、カリオレフィン、リナロール、テルピネオール、シトロネロール、ゲラニオール、ネロール、ファンキルアルコール、メチルチャビコール、シトロネラール、ネラール、カンファー、テルピニルアセテート、ファンキルアセテート、メチルシンナメート、オイゲノール、メチルチモール、１，８−シネオール等の成分を含有する。
【００１６】
キャラウェーはセリ科の植物で、その精油は石鹸香料等に使用されている。また、ｄ−カルボン、リモネン、ジヒドロカルボン等の成分を含有する。
【００１７】
ユーカリは、フトモモ科ユーカリ属の植物の総称で、その精油は、シネオール、ピペトリン、α−フェランドレン、シトロネラール、フェンセン、α−ピネン、β−ピネン、ブチルアルデヒド、バレルアルデヒド、カプロンアルデヒド、カンフェン、ｌ−ピノカルベオール、ミルセノール、テルピネオール、ｌ−ピノカルボン、ミルセノール、ベルベノン、カルボン、ｐ−サイメン、クミンアルデヒド、ｌ−フェランドレン、ゲラニオール、シトラール、メチルシンナメート、ピペリトン、ピペリトール、ジペンテン等の成分を含有するものである。
【００１８】
シトロネラは、セイロンシトロネラソウ、ジャバシトロネラソウ等のイネ科の植物の総称であり、その精油は、ｄ−シトロネラール、ゲラニオール、シトロネロール、リモネン、ジペンテン、カンフェン、ネロール、ボルネオール、ゲラニルアセテート、メチルヘプテノン、メチルオイゲノール、イソブチルアルコール、イソアミルアルコール、３−ヘキセン−１−オール、３−メチル−１−ペンタノール、ｎ−ヘキセン−１−オール、ジアセチル、イソブチルアルデヒド、フルフラール、ベンズアルデヒド、１−メチル−３−シクロヘキセノン、オイゲノール、メチルオイゲノール、ゲラニルブチレート、カジネン等の成分を含有するものである。
【００１９】
アニスは、セリ科の植物で、その精油は、ピネン、フェランドレン、カンフェン、ジペンテン、アニスアルデヒド、アネトール、アニスケトン等の成分を含有する。
【００２０】
オレンジは、ミカン科、ミカン属の植物の総称であり、その精油は、リモネン、デシルアルデヒド、シトラール、オクチルアルコール、リナロール、蟻酸、酢酸、カプリン酸、ノニルアルデヒド、ノニルアルコール、ミルセン、オシメン、テルピノレン、デセナール、ドデセナール、テルピネオール、ファルネソール、ネロリドール、オクタノール等の成分を含有するものである。
【００２１】
ラベンダーは、シソ科の植物であり、その精油は、酢酸リナリル、リナロール、３−オクタノン、ラバンジュオール、ピネン、カンフェン、リモネン、ジペンテン、オシメン、カンファー、ボルネオール、テルピネオール、ネロール、ペリリルアルコール、リナリルアセテート、リナロールオキサイド、シネオール、テルピネオール、ヘキシルアセテート、オクチルアセテート、オクチルブチレート、メチルブチリックエステル、エチルアミルケトン等の成分を含有するものである。
【００２２】
上記した各植物から精油を得る方法としては、従来公知の方法、例えば、水蒸気蒸留、減圧蒸留等の蒸留法、圧搾法、窒素抽出、二酸化炭素抽出、溶剤抽出等の抽出法、油脂吸着法等の各種の方法を利用することができ、これら方法により各植物の精油を得ることができる。
【００２３】
なお、上記した植物から得られる精油は、いずれも人体に対して安全性の高いものである。
【００２４】
本発明の穀物・乾物用防虫剤は、上記した植物から得られる精油を、必要により適当な担体と組み合わせ、常法により製剤化することにより調製される。配合される精油は、一種を単独で用いても良く、また二種以上を組み合わせて用いることもできる。
【００２５】
また、本発明の穀物・乾物用防虫剤は、上記した特定の精油以外に、他の害虫防除成分を配合してもよく、これにより更に優れた防虫効果を発揮することができる。これらの他の害虫防除成分の例としてはトウガラシ、ワサビ、シソ、アリシン、カプサイシン、ペリラアルデヒド、タイム、カルダモン、ナツメグ、クローブ、コリアンダー等から得られる抽出物または精油が挙げられ、これらの一種を単独で使用してもよく、二種類を組み合わせて使用することもできる。
【００２６】
本発明の穀物・乾物用防虫剤の剤型としては、特に限定はなく、液剤や、ゲル剤ないし固形剤等の形態とすることができる。例えば、液剤としては、上記植物の精油単独若しくはこれと他の害虫防除成分を組み合わせた混合液であっても、あるいは上記植物精油や他の害虫防除成分を適当な溶媒に溶解した形態であっても良い。
【００２７】
液剤を調製するために使用できる溶媒としては、従来から植物精油用の溶媒として使用されている液状担体のうち、人体に対して安全性の高いものを使用することが好ましく、水や、人体に対して安全性の高い有機溶媒、例えば、ヘキサン、パラフィン等の炭化水素系化合物、リモネン、ピネン等のテルペン系炭化水素化合物、クロロホルム等のハロゲン化炭化水素化合物、メタノール、エタノール、１−プロパノール、２−プロパノール、１−ブタノール、２−ブタノール、２−メチル−１−プロパノール、２−メチル−２−プロパノール、ペンタノール、ヘキサノール、ヘプタノール、オクタノール、ノナノール、デカノール等の炭化水素系アルコールや、シス−３−ヘキセノール、トランス−３−ヘキセノール、リナロール、ゲラニオール等のテルペンアルコール、アリルアルコール、ベンジルアルコール、オイゲノール等の芳香族アルコール、ジエチルエーテル、ジエチレングリコールジエチルエーテル等のエーテル系化合物、アセトン等のケトン系化合物、酢酸、オレイン酸等の脂肪酸系化合物、酢酸エステル、プロピオン酸エステル、安息香酸エステル等のエステル系化合物、エチレングリコール、プロピレングリコール等のグリコール系化合物、２−フェノキシエタノール、３−メチル−３−メトキシブタノール等のグリコールエーテル系化合物、ごま油、リノール油、サラダ油等が使用できる。これらの溶媒は一種を単独で、または二以上を組み合わせて使用することができる。これらの溶媒を使用する場合にあっては、有効成分の精油の濃度を、防虫剤全体に対して０．１〜１００質量％（以下、「％」とする）とすることが好ましく、１〜１００％とすることがより好ましい。
【００２８】
この液剤の調製に当たっては、必要により界面活性剤を添加することもできる。使用できる界面活性剤としては、例えば、陽イオン系界面活性剤、陰イオン系界面活性剤、両性界面活性剤、非イオン系界面活性剤等の従来公知の界面活性剤が挙げられ、これらの一種を単独で、または二種以上を組み合わせて使用することができる。
【００２９】
更に、本発明の穀物・乾物用防虫剤は、上記した液剤を適当な担体に含浸、担持させた固形状若しくはシート状の固形剤とすることができる。担持させる担体は特に限定されないが、例えば、木、紙、布、不織布、シリカ、タルク、活性炭、シリカゲル、ゼオライト、セルロースビーズ、活性炭、セラミック等を挙げることができる。
【００３０】
更に、本発明の穀物・乾物用防虫剤は、前記液剤をゲル化させたゲル剤とすることもできる。  このゲル剤の調製に用いられるゲル化剤としては、従来公知のものが挙げられ、例えば、カラギーナン、ジェランガム、寒天、ゼラチン、グアーガム、ペクチン、ローカストビーンガム、キサンタンガム、アルギン酸ソーダ、セルロース誘導体、アクリル酸ナトリウム等の高吸水性樹脂や、ジベンジリデン−Ｄ−ソルビトール、ヒドロキシプロピル化多糖類等の一種または二種以上を使用することができる。
【００３１】
本発明の穀物・乾物用防虫剤は、液剤より固形剤ないしゲル剤とすることが有利である。すなわち、有効成分である精油やその液剤は液状であるが、固形剤やゲル剤とすることにより、穀物等の収納容器内で精油等が流れ出て、収納されている穀物等を濡らしてしまう等の問題をなくすことができ、また、取り扱いが容易になるので好ましい。特に、ゲル剤とした場合は、適用される穀物等の収納容器内に有効成分を安定に揮散させることができ、また、ゲルの減少度合いを目視観察することにより、効果の確認及び有効期間の終了時期を容易に判断することができるという利点もあるのでより好ましい。
【００３２】
上記した、本発明の穀物・乾物用防虫剤には、前記した各成分の他、任意成分として、一般に使用される香料、消臭剤、防かび剤、色素、顔料、酸化防止剤、紫外線吸収剤等を、本発明の効果を妨げない範囲で適宜添加することができる。これらの各成分についても、人体に安全な成分を選択することについてはいうまでもない。
【００３３】
かくして得られる本発明の穀物・乾物用防虫剤は、そのままの状態で、または必要により、適当な袋や、薬剤が揮散可能な開口容器等に入れた状態で、穀物等が保存・保管される場所、例えば、穀物倉庫の中や、家庭用の保存庫ないし保存容器等の中に設置することができる。そして、本発明の穀物・乾物用防虫剤の有効成分は、自然に、または送風、加熱等の手段で強制的に揮散させることによって効果を奏する。
【００３４】
【作用】
本発明の穀物・乾物用防虫剤の有効成分である精油は、穀物や乾物に発生する害虫に対し、優れた防虫効果を有するものである。従って、この精油を経時的に発生させる本発明品の穀物・乾物用防虫剤は、穀物や乾物に発生する害虫、例えば、コクゾウムシ、ココクゾウムシ、グラナリヤコクゾウムシ等の鞘翅目ゾウハナムシ科の害虫、ノシメコクガ等の鱗翅目マダラメイガ科の害虫、バクガ等の鱗翅目キバガ科の害虫、ノシメマダラメイガ、ガイマイツヅリガ、コナマダラメイガ等の鱗翅目メイガ科の害虫、カクムネコクヌスト等の鞘翅目ヒラタムシ科の害虫、コクヌストモドキ等の鞘翅目ゴミムシダマシ科等の害虫、オオコクヌスト等の鞘翅目コクヌスト科の害虫、ノコギリコクヌスト等の鞘翅目ヒラタキクイムシ科の害虫、コナナガシンクイムシ等の鞘翅目ナガシンクイムシ科の害虫等に対して、優れた防虫効果を発揮し、穀物や乾物を食害から守ることができるのである。
【００３５】
【実施例】
次に実施例を挙げて本発明を更に詳しく説明するが、本発明はこれら実施例に何ら制約されるものではない
【００３６】
実  施  例  １
防虫試験（１）：
表１に示す精油をそのまま用いて本発明品１〜９の穀物・乾物用防虫剤とした。これらの本発明品１〜９の防虫剤２００ｍｇについて、下記の試験方法を用いて、穀物等の害虫であるノシメマダラメイガ及びコクゾウムシに対する防虫試験を行った。
【００３７】
（  精油の種類  ）
【表１】
2004182704.tif 000002
【００３８】
（  防虫試験方法  ）
図１は、防虫試験に使用される試験装置の概略図であり、図１中、１は試験装置、２は試験区、３は対照区、４は通路パイプ、５はシャーレ、６は虫かご、７は空気孔、８は蓋、をそれぞれ示す。
【００３９】
図１に示されるように、試験区２と対照区３（両区ともに、サイズが内径約１２３ｍｍ×深さ約８０ｍｍのポリプロピレン製円筒容器：ＮＥＯ  ＫＥＥＰＥＲ８９０ｍｌ（ラストロウェア社製））は、通路パイプ４（サイズ：外径２５ｍｍ×長さ約１００ｍｍ、厚さ２ｍｍ）で結合されており、試験害虫が２つの試験区を自由に行き来できるようになっている。
【００４０】
また、試験区２内にはシャーレ５（直径４．６ｃｍ）と直径４ｃｍの球状虫かご６が、対照区３には試験区２内に設置されたものと同型のシャーレ５がそれぞれ設置されている。そして、図２に示されるように、通路パイプ４の上部には、サイズ６００ｍｍ×２００ｍｍの空気孔７（綿布で覆われており、試験害虫の通り抜けはできない）が形成されているため、試験区２で揮散した防虫剤が通路パイプ４を伝わって対照区３に移動することもないものである。
【００４１】
上記した構成の試験装置１を用い、まず、試験区２及び対照区３の蓋８を開け、シャーレ５に穀物としてコメを２ｇ入れ、それぞれ図１に示す位置に設置した。次に、虫かご６に本発明品の穀物・乾物用防虫剤５．０ｇをサンプル瓶に入れたものを設置した。そして、試験区２及び対照区３に対象害虫であるノシメマダラメイガを１０匹ずつ入れた（ノシメマダラメイガは逃げ回るため、炭酸ガスで麻酔をかけながら入れた）。
【００４２】
ノシメマダラメイガを両区に１０匹ずつ入れた後、両区の蓋を閉め、試験装置を２５℃×６０％ＲＨの恒温恒湿室に入れ、暗室状態にして４８時間放置した。放置後、殺虫数及び忌避虫数（対照区３にいる虫の数）を数えて、防虫率を下記（１）式に従って算出した。同様な試験をコクゾウムシに対しても実施した。試験結果を表２及び表３に示す。
【００４３】
【数１】
防虫率（％）＝（（忌避虫数＋殺虫数）／全投入虫数）×１００  ……（１）
【００４４】
（  試験結果：ノシメマダラメイガ  ）
【表２】
2004182704.tif 000003
（  試験結果：コクゾウムシ  ）
【表３】
2004182704.tif 000004
【００４５】
表２及び表３の結果からわかるように、本発明品１〜９の穀物・乾物用防虫剤の防虫率は高く、穀物等の害虫に対する防虫効果に優れたものであることが確認できた。
【００４６】
実  施  例  ２
防虫試験（２）：
下記表４の処方に示される成分を混合して、ゲル状の穀物・乾物用防虫剤（本発明品１０及び１１）を調製した。この本発明品１０及び１１のゲル状防虫剤を１５ｍｍ角（１．２ｇ）に切り取り、実施例１で示した試験方法と同様の試験方法（ただし、防虫剤は担持体には含浸させず、上記サイズのゲル状防虫剤をそのまま虫かご６に入れた）を用いて、穀物等の害虫であるノシメマダラメイガ及びコクゾウムシに対する防虫試験を行った。結果を表５及び表６に示す。
【００４７】
（  処  方  ）
【表４】
2004182704.tif 000005
【００４８】
（  試験結果：ノシメマダラメイガ  ）
【表５】
2004182704.tif 000006
（  試験結果：コクゾウムシ  ）
【表６】
2004182704.tif 000007
【００４９】
表５及び表６の結果からわかるように、本発明品１０及び１１の穀物・乾物用防虫剤の防虫率は高く、穀物等の害虫に対する防虫効果に優れたものであることが確認できた。
【００５０】
実  施  例  ３：
本発明品１０のゲル状穀物・乾物防虫剤５０ｇを、上面が開口したポリカーボネート製の筒状容器（サイズ：直径４０ｍｍ×高さ８０ｍｍ）に入れて、米２０ｋｇの入った容量約２２リットル（サイズ：２４０ｍｍ×４１０ｍｍ×２２５ｍｍ）の米保存容器内に設置したところ、この防虫剤は４ヶ月間防虫効力を奏した。また、４ヶ月後にはゲル状防虫剤はゲルは収縮した状態となり、薬剤効力の終了時点も容易に判断することができた。
【００５１】
【発明の効果】
本発明の穀物・乾物用防虫剤は、特定の植物から得られる精油を有効成分としているため、人体に対しても安全であり、一般家庭においても手軽に使用できるものである。
【００５２】
従って、本発明の穀物・乾物用防虫剤は、穀物や乾物が保管ないし保存される倉庫や家庭用保存庫、家庭用保存容器の中に適用されることにより、コクゾウムシ、ココクゾウムシ、グラナリヤコクゾウムシ、ノシメコクガ、バクガ、ノシメマダラメイガ、ガイマイツヅリガ、コナマダラメイガ、カクムネコクヌスト、コクヌストモドキ、オオコクヌスト、ノコギリコクヌスト、コナナガシンクイムシ等の穀物等の害虫に対して、優れた防虫効果を発揮することができるものである。
【図面の簡単な説明】
【図１】実施例１及び２で使用した試験装置を示す概略図。
【図２】図１の試験装置を構成するパイプ４を上方向（図１の矢印方向）から見た拡大図。
【符号の説明】
１  ……  試験装置
２  ……  試験区
３  ……  対照区
４  ……  通路パイプ
５  ……  シャーレ
６  ……  虫かご
７  ……  空気孔
８  ……  蓋
以    上
【図１】
2004182704.tif 000008
【図２】
2004182704.tif 000009